(57)【要約】【課題】  カードスロットの保護カバーを収容するための空間であって当該保護カバーがカードスロットを開放する姿勢のとき水平方向に突出しないよう収容するための空間を、体格を増大させることなく確保するプリンタを提供する。【解決手段】  本発明に係るプリンタは、操作パネルと、揺動可能に設けられる排紙トレイと、排紙トレイに設けられる手掛け部であって排紙トレイが排紙口を塞ぐ姿勢のとき上端となる端部に設けられ、排紙口を覆う姿勢の排紙トレイに手を掛けるための空間を形成する手掛け部と、操作パネルと排紙口との間に設けられ、カードスロットを有するカード挿入部と、カードスロットを覆う第一の姿勢とカードスロットを開放する第二の姿勢とに揺動可能に設けられる保護カバーとを備え、保護カバーは第二の姿勢のとき少なくとも一部が前記空間に収容される。【選択図】  図１
2005059295.tif 000002
【特許請求の範囲】
【請求項１】
側壁部に排紙口を有する筐体と、
前記筐体に設けられる操作パネルであって、前記排紙口の上方に設けられる操作パネルと、
前記排紙口を塞ぐ姿勢と開放する姿勢とに揺動可能に設けられ、前記排紙口から排出される印刷媒体を積載する排紙トレイと、
前記排紙トレイに設けられる手掛け部であって、前記排紙トレイが前記排紙口を塞ぐ姿勢のとき上端となる端部に設けられ、前記排紙口を覆う姿勢の前記排紙トレイに手を掛けるための空間を形成する手掛け部と、
前記操作パネルと前記排紙口との間に設けられ、リムーバブルメモリを挿入するためのカードスロットを有するカード挿入部と、
前記カードスロットを覆う第一の姿勢と前記カードスロットを開放する第二の姿勢とに揺動可能に設けられる保護カバーであって、前記カードスロットより筐体の内側に揺動軸が設けられ、前記第一の姿勢から前記第二の姿勢に揺動するとき前記カードスロットを覆う部分が下に下がるように揺動する保護カバーと、
を備え、前記保護カバーは前記第二の姿勢のとき少なくとも一部が前記空間に収容されることを特徴とするプリンタ。
【請求項２】
前記手掛け部は凹形状であることを特徴とする請求項１に記載のプリンタ。
【発明の詳細な説明】
【技術分野】
【０００１】
本発明はプリンタに関する。
【背景技術】
【０００２】
側壁部に排紙口を有する筐体、操作パネル、操作パネルと排紙口との間に設けられるカード挿入部、排紙口から排出される印刷媒体を積載する排紙トレイなどを備えるプリンタが知られている（例えば特許文献１参照。）。特許文献１に記載のプリンタは、カード挿入部に挿入されたリムーバブルメモリからデータを読み込んで印刷することが可能であり、パーソナルコンピュータなどのようなプリンタを制御するための装置を用意する必要がないため印刷に要するコストを低減できる。また、特許文献１に記載のプリンタは、操作パネル、カードスロット、排紙トレイが前面に配置されており、このためユーザは一方向から必要な作業を行うことができ操作性がよい。
【０００３】
【特許文献１】特開２０００−２８０５４０号公報
【発明の開示】
【発明が解決しようとする課題】
【０００４】
リムーバブルメモリの読み込み中に静電気を帯びた人間がそのリムーバブルメモリに触れると、リムーバブルメモリに記憶されているデータが消失してしまうことがある。カードスロットを覆う第一の姿勢と開放する第二の姿勢とに揺動可能な保護カバーを設けると、リムーバブルメモリを挿入した後に保護カバーを第一の姿勢にすることで静電気を帯びた人間が誤ってリムーバブルメモリに触れてしまうことを防止できる。
【０００５】
保護カバーを揺動可能に設ける場合、揺動軸をカードスロットより筐体側に設けると、カードスロットを開放する第二の姿勢のときカードスロットを覆う部分が水平方向に突出しないようにすることができる。これにより誤って手が掛かって保護カバーを破損してしまうようなことを防止できる。しかしながら、揺動軸をカードスロットより筐体側に設けると、カード挿入部の上方または下方に保護カバーを収容するための空間が必要となる。このため、その空間を確保するために筐体を大きくしなければならないという問題がある。例えばカード挿入部を水平方向に突出させれば下方に空間を確保できる。しかしながらその場合は突出させる分だけ体格が大きくなってしまうことになる。また、高さ方向に大きくすることにより空間を確保することも可能であるが、その場合は高さ方向に体格が大きくなることになる。
【０００６】
本発明は、かかる問題に鑑みて創作されたものであって、カードスロットの保護カバーを収容するための空間であって当該保護カバーがカードスロットを開放する姿勢のとき水平方向に突出しないよう収容するための空間を、体格を増大させることなく確保するプリンタを提供することを目的とする。
【課題を解決するための手段】
【０００７】
上記目的を達成するため、本発明に係るプリンタは、側壁部に排紙口を有する筐体と、前記筐体に設けられる操作パネルであって、前記排紙口の上方に設けられる操作パネルと、前記排紙口を塞ぐ姿勢と開放する姿勢とに揺動可能に設けられ、前記排紙口から排出される印刷媒体を積載する排紙トレイと、前記排紙トレイに設けられる手掛け部であって、前記排紙トレイが前記排紙口を塞ぐ姿勢のとき上端となる端部に設けられ、前記排紙口を覆う姿勢の前記排紙トレイに手を掛けるための空間を形成する手掛け部と、前記操作パネルと前記排紙口との間に設けられ、リムーバブルメモリを挿入するためのカードスロットを有するカード挿入部と、前記カードスロットを覆う第一の姿勢と前記カードスロットを開放する第二の姿勢とに揺動可能に設けられる保護カバーであって、前記カードスロットより筐体の内側に揺動軸が設けられ、前記第一の姿勢から前記第二の姿勢に揺動するとき前記カードスロットを覆う部分が下に下がるように揺動する保護カバーと、を備え、前記保護カバーは前記第二の姿勢のとき少なくとも一部が前記空間に収容されることを特徴とする。このプリンタによると、手掛け部によって形成される空間を、保護カバーを収容するための空間として利用できる。このため保護カバーを収容するための空間を、体格を増大させることなく確保できる。
【０００８】
さらに本発明に係るプリンタでは、前記手掛け部は凹形状であることを特徴とする。手掛け部を凹形状にすると、排紙トレイが排紙口を塞ぐ姿勢のとき上端となる端部のうち、手掛け部以外の部分によって排紙トレイの高さを確保できる。
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【０００９】
また、本発明は装置の発明として特定できるだけでなく、プログラムの発明としても、そのプログラムを記録した記録媒体の発明としても、方法の発明としても特定することができる。
【発明を実施するための最良の形態】
【００１０】
以下、本発明の実施の形態を実施例に基づいて説明する。本実施例ではプリンタとイメージスキャナとが一体化された所謂複合機を例に説明する。
図１、図４、及び図５は、本発明の一実施例に係るプリンタが一体化されている複合機１を示す斜視図である。尚、本実施例ではインクジェット方式で印刷を行うプリンタを例に説明するが、レーザー方式やドットインパクト方式などで印刷を行うものであってもよい。
【００１１】
図４に示すように、原稿カバー１１はヒンジにより原稿台６０（図２参照）の盤面を開放した姿勢から原稿台６０の盤面を覆う姿勢に揺動可能に筐体１２に連結されている。原稿カバー１１は原稿台６０の盤面６１（図２参照）に載置された原稿Ｍ（図２参照）を押さえるとともに、メインランプ３３（図２参照）の放射光以外の光が原稿Ｍを照らすことがないよう原稿台６０を覆うものである。
【００１２】
排紙口１３は筐体１２の側壁部２０に設けられている。印刷された紙等の印刷媒体は後述する第二副走査駆動部５４（図３参照）によって排紙口１３から排出される。
排紙トレイ１４は、図示しないヒンジにより排紙口１３の下端近傍で筐体１２に連結されており、図１に示すように排紙口１３を塞ぐ姿勢と、図４に示すように排紙口１３を開放する姿勢とに揺動可能である。印刷を行うとき、排紙トレイ１４はユーザにより排紙口１３を開放する姿勢に揺動され、印刷媒体は排紙口１３から排出されて排紙トレイ１４に積載される。
【００１３】
手掛け部１５は、図１に示すように排紙トレイ１４が排紙口１３を塞ぐ姿勢のとき上端となる端部に設けられている。手掛け部１５は、排紙トレイ１４を排紙口１３を塞ぐ姿勢から開放する姿勢に揺動する際にユーザが手を掛けるために設けられており、ユーザは手掛け部１５によって形成されている空間に手を入れることで排紙トレイ１４に手を掛けることができる。尚、手掛け部１５を形成する面に凹みを設けると手を掛けることが更に容易になる。手掛け部１５は、カード挿入部１６の直下に設けられており、形成する空間の水平方向の幅が保護カバー２１の水平方向の幅より広くなるよう形成されている。図４に示すように本実施例の手掛け部１５は凹形状に形成されている。手掛け部１５を凹形状にすると、排紙トレイ１４が排紙口１３を塞ぐ姿勢のとき上端となる端部のうち、手掛け部１５以外の部分１４ａ及び１４ｂによって排紙トレイ１４に必要な高さを確保できる。また、本実施例の手掛け部１５は排紙トレイ１４が排紙口１３を塞ぐ姿勢のとき上方に向かって筐体１２側に傾斜する斜面１５ａが形成されている。斜面１５ａを形成すると、手掛け部１５が形成されている部分についても排紙トレイ１４の積載面の幅を確保できる。
【００１４】
図４に示すように、操作パネル１７は排紙口１３の上方に設けられている。操作パネル１７は、読み取りボタン、コピーボタン、印刷ボタン、メニューから設定項目を選択するための上ボタンや下ボタンなどの複数の押しボタン、メニューを表示するための表示装置、エラーを通知するためのＬＥＤなどを備える。ユーザはそれら各種のボタンを操作することによって複合機１に対して印刷やその他必要な指示を入力することができる。
【００１５】
図１に示すように、カード挿入部１６はリムーバブルメモリ１８を接続するための複数のカードスロット１９、メモリコントローラなどを備える。カード挿入部１６は制御部５６（図２参照）によって制御され、リムーバブルメモリ１８に記憶されている印刷対象のデータを読み込んで複合機１に入力する。カード挿入部１６は規格の異なる複数のリムーバブルメモリ１８を読み込み可能であり、複数のカードスロット１９はそれぞれ特定の規格に応じた形状に形成されている。
【００１６】
図４に示すように、保護カバー２１はカード挿入部１６の前面を覆う部分２２、前面の近傍の下方及びカード挿入部１６の下端面を覆う部分２３、側面２４を覆う部分２４、及び前面の近傍の上方を覆う部分２５を有し、カード挿入部１６が露出しないよう覆っている。従って、カードスロット１９は保護カバー２１によって覆われている。リムーバブルメモリ１８は全体がカードスロット１９に挿入されるのではなく、一端がカードスロット１９から突出した状態で停止し、その状態で読み込みが行われる。このため保護カバー２１はカードスロット１９が形成されている面と前面を覆う部分２２との間にリムーバブルメモリ１８の突出部分の長さに応じた間隔が空くように形成されている。保護カバー２１は、カード挿入部１６の前面より筐体１２の内側に位置する図示しない揺動軸周りに揺動可能に連結されている。すなわち、保護カバー２１の揺動軸はカードスロット１９より筐体１２の内側に設けられている。保護カバー２１はカードスロット１９を覆う姿勢（第一の姿勢）と、図１及び図５に示すカードスロット１９を開放する姿勢（第二の姿勢）とに揺動可能であり、第一の姿勢から図４に示すＸ方向に揺動することにより第二の姿勢となる。すなわち保護カバー２１は第一の姿勢から第二の姿勢に揺動するときカードスロット１９を覆う部分２２が下に下がるように揺動することになる。保護カバー２１には、読み込み中のリムーバブルメモリ１８が静電気を帯びた人間に触れられることを防止する以外に、埃などがカードスロット１９に入り込まないよう保護したり、読み取り中にリムーバブルメモリ１８に衝撃が加わらないよう保護したりする役割もある。
【００１７】
図２は複合機１の構成を示す模式図であり、図３は複合機１のハードウェア構成を示すブロック図である。
リニアイメージセンサ３０は、フォトダイオード等の受光素子が図２において紙面垂直方向に直線状に並ぶ姿勢でキャリッジ３１に搭載されている。リニアイメージセンサ３０は、可視光、赤外光、紫外光等、所定の波長領域の光を光電変換して得られる電荷を受光素子に一定時間蓄積し、受光素子ごとの受光量に応じた電気信号をＣＣＤ（Charge Coupled Device）、ＭＯＳトランジスタスイッチ等を用いて出力する。
【００１８】
光学系３２は、光源３３、ミラー３４及びレンズ３５などで構成され、キャリッジ３１に搭載されている。光源３３は蛍光管ランプ等の管照明装置から構成され、原稿Ｍの走査線近傍を照射する。ミラー３４及びレンズ３５は照射された原稿Ｍの走査線上の反射光像をリニアイメージセンサ３０に結像させる。これにより原稿Ｍの主走査線上の光学像をリニアイメージセンサ３０に入力する。尚、光源３３の位置を変えて原稿の透過光像をリニアイメージセンサ３０に結像させるようにしてもよい。
【００１９】
第一主走査駆動部３６（図３参照）は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
第一副走査駆動部３７（図３参照）は、リニアイメージセンサ３０の長手方向に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００２０】
ＡＦＥ（Analog Front End）部４１（図３参照）は、アナログ信号処理部、Ａ／Ｄ変換器等から構成される。アナログ信号処理部は、リニアイメージセンサ３０から出力された電気信号に対して増幅、雑音低減処理等のアナログ信号処理を施して出力する。Ａ／Ｄ変換器は、アナログ信号処理部から出力された電気信号を所定ビット長のディジタル表現の出力信号に量子化して出力する。
【００２１】
ディジタル画像処理部４２（図３参照）は、ＡＦＥ部４１から出力された出力信号に対し、ガンマ補正、画素補間法による欠陥画素の補間、シェーディング補正、画像信号の鮮鋭化等の処理を行って画像データを作成する。尚、ディジタル画像処理部４２で施す上記各種の処理は、制御部５６で実行するコンピュータプログラムによる処理に置き換えてもよい。
【００２２】
記録ヘッド４３は、キャリッジ４４に設けられ、インクを吐出する複数のノズル４５、ピエゾ素子４６、インクを導くインク通路４７などを備える。ピエゾ素子４６はインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。
【００２３】
ヘッド駆動部４８（図３参照）は、制御部５６（図３参照）から出力された印刷信号に基づいて駆動電圧をピエゾ素子４６に印加する回路である。
第二主走査駆動部４９（図３参照）は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１の軸方向に往復移動する。
【００２４】
第二副走査駆動部５４（図３参照）は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図２において紙面に垂直な方向（副走査方向）に印刷用紙が移動する。
【００２５】
図３に示すように、制御部５６はＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８は各種のプログラムやデータを記憶しているメモリであり、ＲＡＭ５９は各種のプログラムやデータを一時的に記憶するメモリである。
【００２６】
次に、保護カバー２１の作動について、図１に基づいて説明する。
保護カバー２１は、第一の姿勢からＸ方向（図４参照）に揺動することによって図１に示す第二の姿勢になる。前述したように手掛け部１５はカード挿入部１６の下方に配置されているため、保護カバー２１は第二の姿勢になるとその一部が図示するように手掛け部１５によって形成される空間に収容される。この結果、カードスロットを覆う部分２２が水平方向に突出しなくなる。
【００２７】
以上説明した本発明の一実施例に係る複合機１によると、手掛け部１５によって形成される空間を、保護カバー２１を収容するための空間として利用できる。このため、カード挿入部１６を水平方向に突出させたり、筐体を高さ方向に大きくしたりすることによって空間を確保する必要がない。よって複合機１によると、カードスロット１９の保護カバー２１を収容するための空間であって保護カバー２１がカードスロット１９を開放する姿勢のとき水平方向に突出しないよう収容するための空間を、体格を増大させることなく確保できる。
【００２８】
また、複合機１によると、揺動軸の位置を調整したり開放可能な角度を調整したりすることにより、カード挿入部１６の前面部分にヒンジを設けて保護カバーを連結する場合に比べて水平方向、下方向ともに突出する部分を少なくできる。このため、誤って手が掛かって破損してしまうことをより確実に防止するようにすることが可能である。
【図面の簡単な説明】
【００２９】
【図１】本発明の一実施例に係るプリンタの斜視図。
【図２】本発明の一実施例に係るプリンタの模式図。
【図３】本発明の一実施例に係るプリンタのブロック図。
【図４】本発明の一実施例に係るプリンタの斜視図。
【図５】本発明の一実施例に係るプリンタの斜視図。
【符号の説明】
【００３０】
１  複合機（プリンタ）、１１  原稿カバー、１２  筐体、１３  排紙口、１４  排紙トレイ、１５  手掛け部、１６  カード挿入部、１７  操作パネル、１８  リムーバブルメモリ、１９  カードスロット、２０  側壁部、２１  保護カバー
【図１】
2005059295.tif 000003
【図２】
2005059295.tif 000004
【図３】
2005059295.tif 000005
【図４】
2005059295.tif 000006
【図５】
2005059295.tif 000007